(57)【要約】【課題】最小限の部材を使用するだけの簡単な構造で興趣に富んだ動作をすることができ、かつその動作に伴って倒れたり、位置が変動したりしないおもちゃを提供する。【解決手段】柔軟性部材で構成された頭部、略円筒状の胴体部、及び吸盤部からなるおもちゃであって、頭部及び胴体部は一体成形されており、  胴体部と吸盤部とは前記吸盤部の上部を前記胴体部の下部に嵌め込むことによって接合されている。そして、前記吸盤部は一体成形された略円筒状の上部及び逆お椀型の下部とから構成されおり、吸盤部下部の逆お椀型の最大直径は吸盤部上部の略円筒状の最大直径の１〜３倍であり、吸盤部の逆お椀型の部分を床面や壁面などに吸着させることによって使用する。【選択図】図１
2009112752.tif 000002
【特許請求の範囲】
【請求項１】
柔軟性部材で構成された頭部、略円筒状の胴体部、及び吸盤部からなるおもちゃであって、
頭部及び胴体部は一体成形されており、
胴体部と吸盤部とは前記吸盤部の上部を前記胴体部の下部に嵌め込むことによって接合され、
前記吸盤部は一体成形された略円筒状の上部及び逆お椀型の下部とから構成されており、吸盤部下部の逆お椀型の最大直径は吸盤部上部の略円筒状の最大直径の１〜３倍であることを特徴とするおもちゃ。
【請求項２】
前記胴体部の下端寄りの位置にモータを内蔵するとともに、途中箇所を任意に屈曲させることが可能な細長い芯軸を、その一端が前記モータに接続して他端が頭部まで達するように胴体部及び頭部に内蔵したことを特徴とする請求項１記載のおもちゃ。
【請求項３】
前記胴体部の下端寄りの位置にモータを内蔵するとともに、途中箇所を任意に屈曲させることが可能な細長い芯軸を、その一端が前記モータに接続して他端が頭部まで達するように胴体部及び頭部に内蔵し、
前記モータの上方の直線状部位に断面多角形の回転体を取り付けるとともに、
前記回転体の周囲に空隙部を設けて前記空隙部を取り囲む位置の胴体部の周壁を透明窓部となし、
さらに前記空隙部に回転体の側面に接触して押されながら回転する複数のボールを収容したことを特徴とする請求項１記載のおもちゃ。
【請求項４】
前記柔軟性部材は、合成ゴム、シリコンゴム、塩化ビニル樹脂のいずれかで構成されていることを特徴とする請求項１乃至請求項３記載のおもちゃ。
【発明の詳細な説明】
【技術分野】
【０００１】  本発明は、興趣に富んだ動作をすることができるおもちゃに関する。
【背景技術】
【０００２】  従来、おもちゃに関しては様々なものが提供されており、例えば、複雑なリンク機構やカム機構などを使用せずに最小限の部材を使用するだけの簡単な構造で興趣に富んだ動作をすることができるおもちゃが提供されている（特許文献１、特許文献２を参照）。
【特許文献１】実用新案登録第３０３５８７７号公報
【特許文献２】実用新案登録第３０３６１０７号公報
【発明の開示】
【発明が解決しようとする課題】
【０００３】  しかし、これらのおもちゃでは、おもちゃが動作することに伴って倒れたり、おもちゃの位置が勝手に変動したりするという課題や、おもちゃが斜面や垂直面などにおいて固定した状態で動作することができないという課題があった。
【課題を解決するための手段】
【０００４】  上記の課題を解決するために請求項１記載の発明は、柔軟性部材で構成された頭部、略円筒状の胴体部、及び吸盤部からなるおもちゃであって、頭部及び胴体部は一体成形されており、胴体部と吸盤部とは前記吸盤部の上部を前記胴体部の下部に嵌め込むことによって接合され、前記吸盤部は一体成形された略円筒状の上部及び逆お椀型の下部とから構成されており、吸盤部下部の逆お椀型の最大直径は吸盤部上部の略円筒状の最大直径の１〜３倍であることを特徴とする。【０００５】  請求項２記載の発明は、請求項１記載のおもちゃであって、前記胴体部の下端寄りの位置にモータを内蔵するとともに、途中箇所を任意に屈曲させることが可能な細長い芯軸を、その一端が前記モータに接続して他端が頭部まで達するように胴体部及び頭部に内蔵したことを特徴とする。【０００６】  請求項３記載の発明は、請求項１記載のおもちゃであって、前記胴体部の下端寄りの位置にモータを内蔵するとともに、途中箇所を任意に屈曲させることが可能な細長い芯軸を、その一端が前記モータに接続して他端が頭部まで達するように胴体部及び頭部に内蔵し、前記モータの上方の直線状部位に断面多角形の回転体を取り付けるとともに、前記回転体の周囲に空隙部を設けて前記空隙部を取り囲む位置の胴体部の周壁を透明窓部となし、さらに前記空隙部に回転体の側面に接触して押されながら回転する複数のボールを収容したことを特徴とする。【０００７】  請求項４記載の発明は、請求項１乃至請求項３記載のおもちゃであって、前記柔軟性部材は、合成ゴム、シリコンゴム、塩化ビニル樹脂のいずれかで構成されていることを特徴とする。
【発明の効果】
【０００８】  本発明に係るおもちゃは、柔軟性部材で構成された頭部、略円筒状の胴体部、及び吸盤部からなり、前記吸盤部は一体成形された略円筒状の上部及び逆お椀型の下部とから構成されて、吸盤部の上部を胴体部の下部に嵌め込むことによって、頭部及ぶ胴体部と一体化されているために、吸盤部の逆お椀型の部分を床面や壁面などに対して吸着させることによって、おもちゃがその動作に伴って倒れたり、位置が変動したりしないという効果がある。
また、吸盤部は斜面や垂直面にも吸着させることができるため、水平面だけでなく、おもちゃを斜面や垂直面などに吸着させて固定した状態で、おもちゃを動作させることができるという効果がある。
さらに、頭部及び胴体部が柔軟性部材でもって一体成形されていること、及び胴体部に途中箇所を任意に屈曲させることが可能な細長い芯軸を内蔵していることにより、頭部及び胴体部がクネクネと回転するおもしろさがあり、簡単な構造で興趣に富んだ動作をすることができるという効果もある。
【発明を実施するための最良の形態】
【０００９】  最小限の部材を使用するだけの簡単な構造で興趣に富んだ動作をすることができ、かつその動作に伴って倒れたり、位置が変動したりしないおもちゃを提供するという目的を、以下のように、本発明によるおもちゃによって実現した。
【実施例１】
【００１０】  図１は、実施例１における本発明に係るおもちゃの構成を示した一部が断面図となっている説明図である。
本発明に係るおもちゃは、柔軟性部材で構成された頭部１、略円筒状の胴体部２、及び吸盤部３からなるおもちゃであって、頭部１及び胴体部２は一体成形されている。胴体部２の内部は中空であっても良い。
そして、断面図に示されている通り、胴体部２と吸盤部３とは吸盤部３の上部を胴体部２の下部に嵌め込むことによって接合されている。
前記吸盤部３は略円筒状の上部と逆お椀型の下部からなり、一体的に構成されており、前記吸盤部３の下部の逆お椀型の最大直径は上部の略円筒状の最大直径の１〜３倍である。吸盤部３の逆お椀型の部分を床面や壁面などに吸着させることによって使用する。吸盤部３は、斜面や垂直面にも吸着させることができるため、水平面だけでなく、おもちゃを斜面や垂直面などに吸着させて固定した状態で、おもちゃを動作させることができる。
そして、吸盤部３の下部の逆お椀型の表面には、吸着を解除することを容易にするための吸盤突起部４が備えられている。【００１１】  前記柔軟性部材の材質は、合成ゴム、シリコンゴム、塩化ビニル樹脂のいずれかで構成されている。ただし、頭部１、胴体部２及び吸盤部３が同一の柔軟性部材で構成されている場合ばかりでなく、例えば、頭部１及び胴体部２はシリコンゴムで構成され、吸盤部３は塩化ビニル樹脂で構成されている場合であっても良い。【００１２】  本実施例ではおもちゃ本体が略コケシの形状になっているが、本発明に係るおもちゃの形状はこれに限定するものではなく自由である。従って、頭部１または胴体部２の表面も滑らかでなく、例えば複数の突起などがあっても良い。
【実施例２】
【００１３】  図２は、実施例２における本発明に係るおもちゃの構成を示した説明図である。実施例２は、実施例１のおもちゃの胴体部２にモータ５が内蔵された構成となっている。
すなわち、胴体部２の下端寄りの位置にモータ５を内蔵するとともに、途中箇所を任意に屈曲させることが可能な細長い芯軸６を、その一端が前記モータ５に接続して他端が頭部１まで達するように胴体部２及び頭部１に内蔵している。
胴体部２の下端部には硬質のケースが一体化して、そのケースに電池７が収納されている。また、ケースにはスイッチ８と、前記モータ５の回転数を調整可能なスピードコントローラ９が設けられている。【００１４】  前記スイッチ８をＯＮにすると、胴体部２のモータ５が回転することに伴って芯軸６も回転する。頭部１及び胴体部２は、上記のように柔軟性部材により成形されているので、内蔵したモータ５の回転によって芯軸６が動くと、それに伴って変形する。したがって、頭部１及び胴体部２はクネクネと回転することになる。
しかし、この場合でも吸盤部３の逆お椀型の部分を床面や壁面などに吸着させることによって、おもちゃが倒れたり、位置が変動したりしない。また、吸盤部３は斜面や垂直面にも吸着させることができるため、水平面だけでなく、おもちゃを斜面や垂直面などに吸着させて固定した状態で、おもちゃを動作させることができる。【００１５】  本実施例ではおもちゃ本体が略コケシの形状になっているが、本発明に係るおもちゃの形状はこれに限定するものではなく自由である。従って、頭部１または胴体部２の表面も滑らかでなく、例えば複数の突起などがあっても良い。また、本実施例では胴体部２に内蔵した芯軸６をくの字形に屈曲させているが、この芯軸６の屈曲形状も自由であり、より複雑に屈曲させることも可能である。【００１６】  図４は本実施例のおもちゃが有線リモコンボックス１４によって制御される場合を示したものであり、以下これについて詳説する。
本実施例において電池７は胴体部２に内蔵されている場合ばかりでなく、図４に示されている通り、外付けの有線リモコンボックス１４に内蔵されていても良い。そして、有線リモコンボックス１４とおもちゃ本体とはケーブル１５によって接続されている。有線リモコンボックス１４には、スイッチ８と、前記モータ５の回転数を調整可能なスピードコントローラ９が設けられている。【００１７】  有線リモコンボックス１４のスイッチ８をＯＮ状態にすることによって、胴体部２のモータ５を回転させることができる。胴体部２のモータ５が回転すると芯軸６が回転する。芯軸６は上記のように途中箇所が屈曲しているので、その先端が大きく回転する。頭部１及び胴体部２は、上記のように柔軟性部材により成形されているので、内蔵したモータ５の回転によって芯軸６が動くと、それに伴って変形する。したがって、頭部１及び胴体部２はクネクネと回転することになる。【００１８】  図５は本実施例のおもちゃが無線リモコンボックス１６によって制御される場合を示したものであり、以下これについて詳説する。
まず、胴体部２に設置されているスイッチ８をＯＮ状態とすることによって、無線リモコンボックス１６からの命令によっておもちゃを動作させることが可能な状態となる。胴体部２の下端部には硬質のケースが一体化して、そのケースに電池７が収納されている。
そして、無線リモコンボックス１６の内部は、アンテナと送信回路を形成したプリント基板からなる送信部１７と電池７を内蔵した構成になっている。無線リモコンボックス１６には、スイッチ８と、前記モータ５の回転数を調整可能なスピードコントローラ９が設けられている。無線リモコンボックス１６のスイッチ８はＯＮ状態で特定の周波数の電波をおもちゃ本体に向けて送信することができ、おもちゃ本体の胴体部２に内蔵されているアンテナと受信回路を形成したプリント基板からなる受信部１８が当該電波を受けてモータ５の動作を制御する構成となっている。
【実施例３】
【００１９】  図３は、実施例３における本発明に係るおもちゃの構成を示した説明図である。実施例３は、実施例２のおもちゃの胴体部２内のモータ５の上方に回転体１０が設けられた構成となっている。
胴体部２は、その下端寄りの位置にモータ５を内蔵するとともに、その上方に回転体１０付きの芯軸６も内蔵している。芯軸６は下端側に直線状部位を有し、その上方部位は略くの字形に屈曲しており、その直線状部位に回転体１０を取り付けている。回転体１０は断面が多角形、例えば断面が６角形になっており、全体形状は角柱になっている。芯軸６はその下端をモータ５に接続し、上端は頭部１まで達している。回転体１０の周囲には空隙部１１を設け、前記空隙部１１を取り囲む位置の胴体部２の周壁を透明窓部１２となしている。空隙部１１には複数個のボール１３を収容している。ボール１３は回転体１０の側面に接触し、又、透明窓部１２の内面にも接触している。
胴体部２の下端部には硬質のケースが一体化して、そのケースに電池７が収納されている。また、ケースにはスイッチ８と、前記モータ５の回転数を調整可能なスピードコントローラ９が設けられている。【００２０】  前記スイッチ８をＯＮにすると、胴体部２のモータ５を回転させることができる。胴体部２のモータ５が回転すると芯軸６及び回転体１０が回転する。芯軸６は上記のように途中箇所が屈曲しているのでその上端が大きく回転する。頭部１及び胴体部２は、上記のように柔軟性部材により成形されているので、内蔵したモータ５の回転によって芯軸６及び回転体１０が動くと、それに伴って変形する。したがって、頭部１及び胴体部２はクネクネと回転することになる。
しかし、この場合でも吸盤部３の逆お椀型の部分を床面や壁面などに吸着させることによって、おもちゃが倒れたり、位置が変動したりしない。また、吸盤部３は斜面や垂直面にも吸着させることができるため、水平面だけでなく、おもちゃを斜面や垂直面などに吸着させて固定した状態で、おもちゃを動作させることができる。【００２１】  また、回転体１０が回転すると、その側面に接触したボール１３が周方向に押されて回転する。このボール１３の回転運動は透明窓部１２から透視することができる。なお、ボール１３は透明窓部１２の内面にも接触し、その透明窓部１２は柔軟性を有しているので、ボール１３が回転するときに透明窓部１２が押されて外側へ若干膨出し、その膨出部位はボール１３の回転と共に周方向へ移動することになる。【００２２】  本実施例ではおもちゃ本体が略コケシの形状になっているが、本発明に係るおもちゃの形状はこれに限定するものではなく自由である。従って、頭部１または胴体部２の表面も滑らかでなく、例えば複数の突起などがあっても良い。また、本実施例では胴体部２に内蔵した芯軸６をくの字形に屈曲させているが、この芯軸６の屈曲形状も自由であり、より複雑に屈曲させることも可能である。【００２３】  なお、本実施例においても、回転体１０は図示されていないが、図４に示されているように有線リモコンボックス１４によって制御される場合であっても良い。
本実施例において電池７は胴体部２に内蔵されている場合ばかりでなく、外付けの有線リモコンボックス１４に内蔵されていても良い。そして、有線リモコンボックス１４とおもちゃ本体とはケーブル１５によって接続されている。なお、有線リモコンボックス１４には、スイッチ８と、前記モータ５の回転数を調整可能なスピードコントローラ９が設けられている。【００２４】  有線リモコンボックス１４のスイッチ８をＯＮにすると、胴体部２のモータ５を回転させることができる。胴体部２のモータ５が回転すると芯軸６及び回転体１０が回転する。胴体部２のモータ５が回転すると芯軸６が回転する。芯軸６は上記のように途中箇所が屈曲しているのでその先端が大きく回転する。頭部１及び胴体部２は、上記のように柔軟性部材により成形されているので、内蔵したモータ５の回転によって芯軸６及び回転体１０が動くと、それに伴って変形する。したがって、頭部１及び胴体部２はクネクネと回転することになる。【００２５】  なお、本実施例においても、回転体１０は図示されていないが、図５に示されているように無線リモコンボックス１６によって制御される場合であっても良い。
まず、胴体部２に設置されているスイッチ８をＯＮ状態とすることによって、無線リモコンボックス１６からの命令によっておもちゃを動作させることが可能な状態となる。胴体部２の下端部には硬質のケースが一体化して、そのケースに電池７が収納されている。
そして、無線リモコンボックス１６の内部は、アンテナと送信回路を形成したプリント基板からなる送信部１７と電池７を内蔵した構成になっている。無線リモコンボックス１６には、スイッチ８と、前記モータ５の回転数を調整可能なスピードコントローラ９が設けられている。無線リモコンボックス１６のスイッチ８はＯＮ状態で特定の周波数の電波をおもちゃ本体に向けて送信することができ、おもちゃ本体の胴体部２に内蔵されているアンテナと受信回路を形成したプリント基板からなる受信部１８が当該電波を受けてモータ５の動作を制御する構成となっている。
【図面の簡単な説明】
【００２６】
【図１】実施例１における本発明に係るおもちゃの構成を示した一部が断面図となっている説明図である。
【図２】実施例２における本発明に係るおもちゃの構成を示した説明図である。
【図３】実施例３における本発明に係るおもちゃの構成を示した一部が断面図となっている説明図である。
【図４】有線リモコンボックス１４を使用した場合のおもちゃの構成を示した説明図である。
【図５】無線リモコンボックス１６を使用した場合のおもちゃの構成を示した説明図である。
【符号の説明】
【００２７】１  頭部
２  胴体部
３  吸盤部
４  吸盤突起部
５  モータ
６  芯軸
７  電池
８  スイッチ
９  スピードコントローラ
１０  回転体
１１  空隙部
１２  透明窓部
１３  ボール
１４  有線リモコンボックス
１５  ケーブル
１６  無線リモコンボックス
１７  送信部
１８  受信部
【図１】
2009112752.tif 000003
【図２】
2009112752.tif 000004
【図３】
2009112752.tif 000005
【図４】
2009112752.tif 000006
【図５】
2009112752.tif 000007